(57)【要約】【課題】スモールセルでの端末装置の接続にかかる時間をより短くすることを可能にすること。【解決手段】マクロセルと一部又は全体で重複するスモールセルで使用される周波数帯域のシステム情報を取得する取得部と、上記マクロセルでの上記システム情報のダウンリンク送信を制御する制御部と、を備える通信制御装置が提供される。上記制御部は、上記マクロセル内に位置する端末装置に、上記ダウンリンク送信に使用される無線リソースを通知する。【選択図】図８
2014069058.tif 000002
【特許請求の範囲】
【請求項１】
マクロセルと一部又は全体で重複するスモールセルで使用される周波数帯域のシステム情報を取得する取得部と、
前記マクロセルでの前記システム情報のダウンリンク送信を制御する制御部と、
を備え、
前記制御部は、前記マクロセル内に位置する端末装置に、前記ダウンリンク送信に使用される無線リソースを通知する、
通信制御装置。
【請求項２】
前記無線リソースは、前記マクロセルで使用される周波数帯域のリソースであって、当該周波数帯域のシステム情報の送信には使用されない前記リソースである、請求項１に記載の通信制御装置。
【請求項３】
前記無線リソースは、別のスモールセルで使用される周波数帯域のシステム情報の送信にも使用されない、請求項２に記載の通信制御装置。
【請求項４】
前記無線リソースは、物理ダウンリンク共有チャネルのリソースである、請求項２に記載の通信制御装置。
【請求項５】
前記スモールセルで使用される前記周波数帯域の前記システム情報の更新は、前記マクロセルで使用される前記周波数帯域の前記システム情報の更新とは独立して通知される、請求項２に記載の通信制御装置。
【請求項６】
前記スモールセルで使用される前記周波数帯域の前記システム情報の更新は、別のスモールセルで使用される周波数帯域のシステム情報の更新とも独立して通知される、請求項５に記載の通信制御装置。
【請求項７】
前記スモールセルで使用される前記周波数帯域の前記システム情報の前記更新は、当該更新に関する情報を前記無線リソースとともに通知される、請求項５に記載の通信制御装置。
【請求項８】
前記無線リソースは、前記マクロセルで使用される前記周波数帯域の前記システム情報に含まれる所定の情報ブロックの送信に使用される別の無線リソースと所定の位置関係を有する通知用の無線リソースを使用して通知される、請求項２に記載の通信制御装置。
【請求項９】
前記別の無線リソースは、時間方向及び周波数方向の所定の範囲内に位置するリソースである、請求項８に記載の通信制御装置。
【請求項１０】
前記所定の位置関係は、前記別の無線リソースと時間方向又は周波数方向において所定のオフセットを有する位置関係である、請求項８に記載の通信制御装置。
【請求項１１】
前記無線リソースは、前記マクロセルにおいて接続状態にある端末装置へのシグナリングにより通知される、請求項２に記載の通信制御装置。
【請求項１２】
前記制御部は、前記無線リソースとともに、前記スモールセルを識別するためのスモールセル識別情報も通知する、請求項２に記載の通信制御装置。
【請求項１３】
前記スモールセルで使用される前記周波数帯域の前記システム情報は、前記スモールセルでは送信されない、請求項１に記載の通信制御装置。
【請求項１４】
コンピュータを、
マクロセルと一部又は全体で重複するスモールセルで使用される周波数帯域のシステム情報を取得する取得部と、
前記マクロセルでの前記システム情報のダウンリンク送信を制御する制御部と、
として機能させ、
前記制御部は、前記マクロセル内に位置する端末装置に、前記ダウンリンク送信に使用される無線リソースを通知する、
プログラム。
【請求項１５】
マクロセルと一部又は全体で重複するスモールセルで使用される周波数帯域のシステム情報を取得することと、
前記マクロセルでの前記システム情報のダウンリンク送信を制御することと、
前記マクロセル内に位置する端末装置に、前記ダウンリンク送信に使用される無線リソースを通知することと、
を含む通信制御方法。
【請求項１６】
マクロセルと一部又は全体で重複するスモールセルで使用される周波数帯域のシステム情報を生成する生成部と、
前記マクロセルでの前記システム情報のダウンリンク送信を制御する装置であって、当該ダウンリンク送信に使用される無線リソースを前記マクロセル内に位置する端末装置に通知する前記装置へ、前記システム情報を提供する提供部と、
を備える通信制御装置。
【請求項１７】
コンピュータを、
マクロセルと一部又は全体で重複するスモールセルで使用される周波数帯域のシステム情報を生成する生成部と、
前記マクロセルでの前記システム情報のダウンリンク送信を制御する装置であって、当該ダウンリンク送信に使用される無線リソースを前記マクロセル内に位置する端末装置に通知する前記装置へ、前記システム情報を提供する提供部と、
として機能させるためのプログラム。
【請求項１８】
マクロセルと一部又は全体で重複するスモールセルで使用される周波数帯域のシステム情報を生成することと、
前記マクロセルでの前記システム情報のダウンリンク送信を制御する装置であって、当該ダウンリンク送信に使用される無線リソースを前記マクロセル内に位置する端末装置に通知する前記装置へ、前記システム情報を提供することと、
を含む通信制御方法。
【請求項１９】
端末装置であって、
前記端末装置がマクロセル内に位置する場合に、当該マクロセルと一部又は全体で重複するスモールセルで使用される周波数帯域のシステム情報を受信する無線通信部と、
前記端末装置がマクロセル内に位置する場合に、前記システム情報のダウンリンク送信に使用される無線リソースを通知されると、当該無線リソースを使用して送信される情報を前記システム情報として取得する取得部と、
を備える端末装置。
【請求項２０】
端末装置がマクロセル内に位置する場合に、当該マクロセルと一部又は全体で重複するスモールセルで使用される周波数帯域のシステム情報を受信することと、
前記端末装置がマクロセル内に位置する場合に、前記システム情報のダウンリンク送信に使用される無線リソースを通知されると、当該無線リソースを使用して送信される情報を前記システム情報として取得することと、
を含む通信制御方法。
【発明の詳細な説明】
【技術分野】
【０００１】
本開示は、通信制御装置、プログラム、通信制御方法及び端末装置に関する。
【背景技術】
【０００２】
現在、スマートフォンの普及により、セルラーシステムのデータトラフィックの増大が懸念されている。そのため、各セルラー事業者にとって、セルラーシステムの通信容量を増加させることが増々重要になっている。通信容量の増加のために、例えば、事業者は、ピコセル、フェムトセル等のスモールセルをマクロセル内に配置する。これにより、事業者は、セル分割利得によるさらなる通信容量を得ることができる。【０００３】
一般的に、マクロセルでは、当該マクロセルのシステム情報（System  Information）が当該マクロセルの基地局により送信される。また、同様に、スモールセルでも、当該スモールセルのシステム情報が当該スモールセルの基地局により送信される。このようなスモールセルのシステム情報の送信手法に関する技術も提案されている。【０００４】
例えば、特許文献１には、システムの性能低下を防止するために、フェムトセルの基地局が、複数の種類のサブフレームを含むサブフレームセットを構成し、予め決められた順序でサブフレームセットに含まれるサブフレームを送信するという技術が、開示されている。
【先行技術文献】
【特許文献】
【０００５】
【特許文献１】特表２０１２−５２３７４５号公報
【発明の概要】
【発明が解決しようとする課題】
【０００６】
しかし、特許文献１に開示されている手法を含む、従来のシステム情報の送信手法によれば、スモールセルのシステム情報は、あくまでもスモールセルの基地局により送信される。そのため、スモーセルのシステム情報を端末装置が受信できる領域は限られてしまう。よって、端末装置は、スモールセルに入った際に又は近づいた際に当該スモールセルのシステム情報を未だ取得していないこともあり得る。その結果、スモールセルでの端末装置の接続に多くの時間がかかってしまうことが懸念される。例えば、例えばセルサーチでのセルの特定、セルサーチ後のシステム情報の受信等に多くの時間を要することが懸念される。スモールセルはマクロセルよりも小さいことに起因して、端末装置がスモールセルに出入りする頻度は、端末装置がマクロセルに出入りする頻度と比べて高くなると考えられるので、このように多くの時間を要することは好ましくない。【０００７】
そこで、スモールセルでの端末装置の接続にかかる時間をより短くすることを可能にする仕組みが提供されることが望ましい。
【課題を解決するための手段】
【０００８】
本開示によれば、マクロセルと一部又は全体で重複するスモールセルで使用される周波数帯域のシステム情報を取得する取得部と、上記マクロセルでの上記システム情報のダウンリンク送信を制御する制御部と、を備える通信制御装置が提供される。上記制御部は、上記マクロセル内に位置する端末装置に、上記ダウンリンク送信に使用される無線リソースを通知する。【０００９】
また、本開示によれば、コンピュータを、マクロセルと一部又は全体で重複するスモールセルで使用される周波数帯域のシステム情報を取得する取得部と、上記マクロセルでの上記システム情報のダウンリンク送信を制御する制御部と、として機能させるためのプログラムが提供される。上記制御部は、上記マクロセル内に位置する端末装置に、上記ダウンリンク送信に使用される無線リソースを通知する。【００１０】
また、本開示によれば、マクロセルと一部又は全体で重複するスモールセルで使用される周波数帯域のシステム情報を取得することと、上記マクロセルでの上記システム情報のダウンリンク送信を制御することと、上記マクロセル内に位置する端末装置に、上記ダウンリンク送信に使用される無線リソースを通知することと、を含む通信制御方法が提供される。【００１１】
本開示によれば、マクロセルと一部又は全体で重複するスモールセルで使用される周波数帯域のシステム情報を生成する生成部と、上記マクロセルでの上記システム情報のダウンリンク送信を制御する装置であって、当該ダウンリンク送信に使用される無線リソースを上記マクロセル内に位置する端末装置に通知する上記装置へ、上記システム情報を提供する提供部と、を備える通信制御装置が提供される。【００１２】
また、本開示によれば、コンピュータを、マクロセルと一部又は全体で重複するスモールセルで使用される周波数帯域のシステム情報を生成する生成部と、上記マクロセルでの上記システム情報のダウンリンク送信を制御する装置であって、当該ダウンリンク送信に使用される無線リソースを上記マクロセル内に位置する端末装置に通知する上記装置へ、上記システム情報を提供する提供部と、として機能させるためのプログラムが提供される。【００１３】
また、本開示によれば、マクロセルと一部又は全体で重複するスモールセルで使用される周波数帯域のシステム情報を生成することと、上記マクロセルでの上記システム情報のダウンリンク送信を制御する装置であって、当該ダウンリンク送信に使用される無線リソースを上記マクロセル内に位置する端末装置に通知する上記装置へ、上記システム情報を提供することと、を含む通信制御方法が提供される。【００１４】
本開示によれば、端末装置であって、上記端末装置がマクロセル内に位置する場合に、当該マクロセルと一部又は全体で重複するスモールセルで使用される周波数帯域のシステム情報を受信する無線通信部と、上記端末装置がマクロセル内に位置する場合に、上記システム情報のダウンリンク送信に使用される無線リソースを通知されると、当該無線リソースを使用して送信される情報を上記システム情報として取得する取得部と、を備える端末装置が提供される。【００１５】
また、本開示によれば、端末装置がマクロセル内に位置する場合に、当該マクロセルと一部又は全体で重複するスモールセルで使用される周波数帯域のシステム情報を受信することと、上記端末装置がマクロセル内に位置する場合に、上記システム情報のダウンリンク送信に使用される無線リソースを通知されると、当該無線リソースを使用して送信される情報を上記システム情報として取得することと、を含む通信制御方法が提供される。
【発明の効果】
【００１６】
以上説明したように本開示によれば、スモールセルでの端末装置の接続にかかる時間をより短くすることが可能となる。
【図面の簡単な説明】
【００１７】
【図１】マクロセルとスモールセルとで別々の周波数帯域が用いられるシナリオの一例を説明するための説明図である。
【図２】各ＵＥのＰＣＣの一例を説明するための説明図である。
【図３】ＭＩＢが送信される物理報知チャネル（ＰＢＣＨ）を説明するための説明図である。
【図４】ＳＩＢ１が送信されるサブフレームを説明するための説明図である。
【図５】一実施形態に係る無線通信システムの概略的な構成の一例を示す説明図である。
【図６】一実施形態に係るマクロｅＮｏｄｅＢの構成の一例を示すブロック図である。
【図７】ピコセル側のシステム情報の送信に使用される無線リソースの通知のために送信される情報の一例を説明するための説明図である。
【図８】ＬＰＳＩと無線リソースとの対応関係の一例を説明するための説明図である。
【図９】一実施形態に係るピコｅＮｏｄｅＢの構成の一例を示すブロック図である。
【図１０】一実施形態に係るＵＥの構成の一例を示すブロック図である。
【図１１】一実施形態に係る通信制御処理の概略的な流れの一例を示すシーケンス図である。
【図１２】ＳＩＢ１の送信に使用される無線リソースの位置の例を説明するための説明図である。
【図１３】一実施形態の第１の変形例に従ってＬＰＳＩの送信に使用される無線リソースの第１の例を説明するための説明図である。
【図１４】一実施形態の第１の変形例に従ってＬＰＳＩの送信に使用される無線リソースの第２の例を説明するための説明図である。
【図１５】一実施形態の第１の変形例に従ってＬＰＳＩの送信に使用される無線リソースの第３の例を説明するための説明図である。
【図１６】一実施形態の第１の変形例に係る通信制御処理の概略的な流れの一例を示すシーケンス図である。
【図１７】ピコセル側のシステム情報の更新の通知のために送信される情報の一例を説明するための説明図である。
【図１８】ピコシステム情報と当該ピコシステム情報の更新を通知するために送信される情報との対応関係の一例を説明するための説明図である。
【図１９】一実施形態の第２の変形例に係る通信制御処理の概略的な流れの一例を示すシーケンス図である。
【発明を実施するための形態】
【００１８】
以下に添付の図面を参照しながら、本開示の好適な実施の形態について詳細に説明する。なお、本明細書及び図面において、実質的に同一の機能構成を有する構成要素については、同一の符号を付することにより重複説明を省略する。
【００１９】
なお、説明は以下の順序で行うものとする。
１．はじめに
１．１．３ＧＰＰにおける無線通信の技術
１．２．技術的課題
２．無線通信システムの概略的な構成
３．各装置の構成
３．１．マクロｅＮｏｄｅＢの構成
３．２．ピコｅＮｏｄｅＢの構成
３．３．ＵＥの構成
４．処理の流れ
５．変形例
５．１．第１の変形例
５．１．１．概略
５．１．２．各装置の構成
５．１．３．処理の流れ
５．２．第２の変形例
５．２．１．概略
５．２．２．各装置の構成
５．２．３．処理の流れ
６．まとめ
【００２０】
＜＜＜１．はじめに＞＞＞
まず、３ＧＰＰ（3rd  Generation  Partnership  Project）における無線通信の技術、及び技術的課題を説明する。
【００２１】
＜＜１．１．３ＧＰＰにおける無線通信の技術＞＞
以下、図１〜図４を参照して、３ＧＰＰにおける無線通信の技術を説明する。
【００２２】
（リリース１０のスモールセル）
３ＧＰＰのリリース１０及びリリース１１でも、スモールセル（具体的には、ピコセル）への言及がある。リリース１０及びリリース１１では、基地局はｅＮｏｄｅＢと呼ばれるが、とりわけ、マクロセルのｅＮｏｄｅＢはマクロｅＮｏｄｅＢと呼ばれ、ピコセルのｅＮｏｄｅＢはピコｅＮｏｄｅＢと呼ばれる。
【００２３】
ピコセルは、マクロセルと一部又は全体で重複し、例えば、マクロｅＮｏｄｅＢ及びピコｅＮｏｄｅＢは、同一の周波数帯域を使用する。このようなネットワークは、Ｈｅｔ−Ｎｅｔ（Heterogeneous  network）と呼ばれる。Ｈｅｔ−Ｎｅｔでは、マクロｅＮｏｄｅＢとピコｅＮｏｄｅＢとの間の干渉を減らすことが重要な課題であるので、この干渉を減らす技術について３ＧＰＰにおいて議論が盛んに行われた。例えば、ほとんどの送信が停止されるＡＢＳ（Almost  Blank  Subframe）というサブフレームをマクロセル（マクロｅＮｏｄｅＢ）側に設けること等が、検討された。
【００２４】
（リリース１２で想定されるスモールセル）
一方、マクロｅＮｏｄｅＢとピコｅＮｏｄｅＢとが別々の周波数帯域を用いるというシナリオが、リリース１２のシナリオとして検討されると予想される。以下、この点について図１を参照してより具体的に説明する。
【００２５】
図１は、マクロセルとスモールセルとで別々の周波数帯域が用いられるシナリオの一例を説明するための説明図である。図１を参照すると、マクロセル１０及びマクロｅＮｏｄｅＢ１１が示されている。また、マクロセル１０と全体で重複するピコセル２０及びピコｅＮｏｄｅＢ２１が示されている。さらに、マクロｅＮｏｄｅＢ及びピコｅＮｏｄｅＢと通信するＵＥ（User  Equipment）３１が示されている。このようなネットワークにおいて、例えば、マクロｅＮｏｄｅＢ１１は、マクロセル１０内で２ＧＨｚ帯の周波数帯域を使用してＵＥ３１と無線通信する。また、例えば、ピコｅＮｏｄｅＢ２１は、ピコセル２０内で５ＧＨｚ帯の周波数帯域を使用してＵＥ３１と無線通信する。
【００２６】
（リリース１０のキャリアアグリゲーション）
【００２７】
−コンポーネントキャリア
リリース１０のキャリアアグリゲーションでは、最大で５つのコンポーネントキャリア（ＣＣ：Component  Carrier）が束ねられて、ＵＥにより使用される。各コンポーネントキャリアは、最大２０ＭＨｚ幅の帯域である。キャリアアグリゲーションでは、周波数方向で連続するＣＣが使用される場合と、周波数方向で離れたＣＣが使用される場合とがある。キャリアアグリゲーションでは、使用されるＣＣをＵＥ毎に設定することが可能である。
【００２８】
−プリマリＣＣとセカンダリＣＣ
キャリアアグリゲーションでは、ＵＥにより使用される複数のＣＣのうちの１つが特別なＣＣである。当該１つの特別なＣＣは、プライマリ（Primary）ＣＣ（ＰＣＣ）と呼ばれる。また、上記複数のＣＣのうちの残りは、セカンダリ（Secondary）ＣＣ（ＳＣＣ）と呼ばれる。ＰＣＣは、ＵＥによって異なり得る。以下、この点について図２を参照してより具体的に説明する。
【００２９】
図２は、各ＵＥのＰＣＣの一例を説明するための説明図である。図２を参照すると、ＵＥ３１ａ及びＵＥ３１ｂ、並びに５つのＣＣ１〜５が示されている。この例では、ＵＥ３１ａは、ＣＣ１及びＣＣ２という２つのＣＣを使用している。そして、ＵＥ３１ａは、ＣＣ２をＰＣＣとして使用している。一方、ＵＥ３１ｂは、ＣＣ２及びＣＣ４という２つのＣＣを使用している。そして、ＵＥ３１ｂは、ＣＣ４をＰＣＣとして使用している。このように、各ＵＥは、異なるＣＣをＰＣＣとして使用し得る。
【００３０】
ＰＣＣは、複数のＣＣの中で最も重要なＣＣであるので、通信品質が最も安定しているＣＣであることが望ましい。なお、どのＣＣをＰＣＣとするかは、実際には、どのように実装するかに依存する。
【００３１】
ＵＥが最初に接続を確立するＣＣが、当該ＵＥにとってのＰＣＣである。ＳＣＣは、ＰＣＣに追加される。即ち、ＰＣＣは、主要な周波数帯域であり、ＳＣＣは、補助的な周波数帯域である。ＳＣＣの変更は、既存のＳＣＣの削除と新たなＳＣＣの追加により行われる。ＰＣＣの変更は、従来の周波数間ハンドオーバの手順で行われる。キャリアアグリゲーションでは、ＵＥは、ＳＣＣのみを使用することはできず、必ず１つのＰＣＣを使用する。
【００３２】
なお、ＰＣＣは、プライマリセル（Primary  Cell）と呼ばれることもある。また、ＳＣＣは、セカンダリセル（Secondary  Cell）と呼ばれることもある。
【００３３】
（システム情報）
【００３４】
システム情報には、マスタ情報ブロック（Master  Information  Block：ＭＩＢ）及びシステム情報ブロック（System  Information  Block：ＳＩＢ）が含まれる。ＭＩＢには、使用される帯域幅、システムフレーム番号（ＳＦＮ）、Ｈｙｂｒｉｄ  ＡＣＫのコンフィグレーション等の、最初の段階でデータを受信するために必須の情報が含まれる。また、ＳＩＢには、その他のシステム情報が含まれる。ＭＩＢに含まれる情報は、ＳＩＢに含まれる情報よりもより重要な情報である。
【００３５】
ＭＩＢは、物理報知チャネル（Physical  Broadcast  channel：ＰＢＣＨ）上で送信される。以下、ＭＩＢが送信されるＰＢＣＨをより具体的に説明する。
【００３６】
図３は、ＭＩＢが送信される物理報知チャネル（ＰＢＣＨ）を説明するための説明図である。図３を参照すると、＃０のサブフレームにおける周波数帯域の無線リソースが示されている。＃０のサブフレームは、１０ｍｓの無線フレーム（Radio  Frame）に含まれる１０個のサブフレーム（＃０〜＃９のサブフレーム）のうちの１つである。図３を参照すると、サブフレームは、２つのスロットを含む。また、各スロットは、７ＯＦＤＭシンボルを含む。第１スロットの１〜３ＯＦＤＭシンボルは、ＰＤＣＣＨ（Physical  Downlink  Control  CHannel）であり、第１スロットの４〜７ＯＦＤＭシンボル及び第２のスロットは、ＰＤＳＣＨ（Physical  Downlink  Shared  CHannel）である。そして、とりわけ♯０サブフレームでは、ＰＢＣＨが、周波数方向において周波数帯域の中心の７２個のサブキャリア、時間方向において第２スロットの１〜４ＯＦＤＭシンボルの範囲に位置する。即ち、ＰＢＣＨは、６つのリソースブロックに渡って配置される。ＭＩＢは、このようなＰＢＣＨ上で送信される。
【００３７】
また、ＳＩＢは、物理ダウンリンク共有チャネル（Physical  Downlink  Shared  CHannel）上で送信される。とりわけ、ＳＩＢのうちのＳＩＢ１は、ＳＦＮが偶数である無線フレームの＃５のサブフレームで送信される。以下、この点について図４を参照して具体的に説明する。
【００３８】
図４は、ＳＩＢ１が送信されるサブフレームを説明するための説明図である。図４を参照すると、２つの連続する無線フレーム、即ち、ＳＦＮが偶数である無線フレームと、ＳＦＮが奇数である無線フレームとが示されている。そして、ＳＩＢ１は、ＳＦＮが偶数である無線フレームの＃５のサブフレームで送信される。一方、ＳＦＮが奇数である無線フレームではＳＩＢ１は送信されない。このようにＳＩＢ１は、固定のサブフレームで送信される。
【００３９】
なお、ＳＦＮが偶数である無線フレームの＃５のサブフレームのうちの周波数方向のどの位置でＳＩＢ１が送信されるかは、ＭＩＢにより示される。そのため、ＳＩＢ１は、ＭＩＢとは異なり、完全に固定の位置で送信されるわけではなく、準固定な位置で送信される。なお、＃５のサブフレームにおいてＳＩＢ１が送信される時間方向の位置（即ち、ＯＦＤＭシンボル）は、固定である。
【００４０】
また、ＳＩＢのうちのＳＩＢ２〜１１は、ＳＩＢ１のように固定のサブフレームで送信されるわけではない。ＳＩＢ２〜１１は、ＳＩＢ１で示される無線リソースを使用して送信される。
【００４１】
（ページング）
【００４２】
ＬＴＥでは、ＵＥのモードとして、ＲＲＣ接続（RRC_Connected）モードと、ＲＲＣアイドル（RRC_Idle）モードとがある。
【００４３】
ＵＥのモードがＲＲＣ接続モードである場合には、ＵＥとｅＮｏｄｅＢとの間で接続が確立され、アップリンク信号及びダウンリンク信号の送受信が可能である。
【００４４】
一方、ＵＥのモードがＲＲＣアイドルモードである場合には、ｅＮｏｄｅＢ側にはＵＥの情報は存在せず、ＵＥがどのトラッキングエリアに存在しているかがＭＭＥ（Mobility  Management  Entity）に登録されている。ＭＭＥは、ｅＮｏｄｅＢとＳ１−ＭＭＥインターフェースで有線接続されたノードである。トラッキングエリアとは、互いに近い数十〜１００程度のセルを含むエリアである。
【００４５】
ＭＭＥは、ＵＥに対する着信があった場合に、当該ＵＥのトラッキングエリアに含まれる全てのセルで、ページングチャネルでの呼出しを行う。即ち、ＲＲＣアイドルモードのＵＥは、ページングチャネルを監視し、当該ＵＥに対する着信があれば、ＲＲＣアイドルモードからＲＲＣ接続モードへ自装置のモードを遷移させる。
【００４６】
ＲＲＣアイドルモードのＵＥは、ページングチャネルで情報が送信される時間を除き、消費電力を小さくするために、ハードウェアへのクロックの停止、電源の停止等の省電力化を行う。そして、ページングチャネルで情報が送信される時間がくると、ＵＥは、電源を入れ、ページングチャネルで情報を受信し、受信後に再度省電力化を行う。
【００４７】
（システム情報の更新）
システム情報の更新（System  Information  Update）は、ページングチャネルで通知される。また、システム情報の更新は、システム情報のＳＩＢ１でも通知される。
【００４８】
（キャリアアグリゲーションにおけるシステム情報とその更新）
キャリアアグリゲーションでは、システム情報は、全てのコンポーネントキャリア（ＣＣ）で提供される。また、ＳＩＢ１は、全てのＣＣで送信されるので、システム情報の更新は、全てのＣＣで通知される。しかし、キャリアアグリゲーション対応のＵＥは、ＰＣＣだけを監視することにより、全てのＣＣのシステム情報の更新を知ることができる。
【００４９】
＜＜１．２．技術的課題＞＞
次に、上述した技術にも関連する技術的課題を説明する。
【００５０】
一般的に、マクロセルでは、当該マクロセルのシステム情報がマクロｅＮｏｄｅＢにより送信される。また、同様に、ピコセルでも、当該ピコセルのシステム情報がピコｅＮｏｄｅＢにより送信される。このようなスモールセルのシステム情報の送信手法に関する技術も提案されている。
【００５１】
例えば、特開２０１２−５２３７４５号公報には、システムの性能低下を防止するために、フェムトセルの基地局が、複数の種類のサブフレームを含むサブフレームセットを構成し、予め決められた順序でサブフレームセットに含まれるサブフレームを送信するという技術が、開示されている。
【００５２】
しかし、このような従来のシステム情報の送信手法によれば、ピコセルのシステム情報は、あくまでもピコｅＮｏｄｅＢにより送信される。そのため、例えば低送信電力、高い周波数帯域等に起因して、ピコセルのシステム情報をＵＥが受信できる領域は限られてしまう。よって、ＵＥは、ピコセルに入った際に又は近づいた際に当該ピコセルのシステム情報を未だ取得していないこともあり得る。例えば、ＵＥが高速でピコセルに入った場合に、ＵＥは当該ピコセルのシステム情報を未だ取得していないこともあり得る。その結果、スモールセルでのＵＥの接続に多くの時間がかかってしまうことが懸念される。例えば、ＵＥは、ＵＥはセルサーチにおいて、ＰＳＳ（Primary  Synchronization  Signal）及びＳＳＳ（Secondary  Synchronization  Signal）に基づいて、全てのピコセル候補の中からピコセルを特定することになり、セルの特定に多くの時間を要し得る。また、例えば、ＵＥは、セルサーチ後にシステム情報を新たに受信することになるので、システム情報の受信にも多くの時間を要し得る。スモールセルはマクロセルよりも小さいことに起因して、ＵＥがスモールセルに出入りする頻度は、ＵＥがマクロセルに出入りする頻度と比べて高くなると考えられるので、このように多くの時間を要することは好ましくない。
【００５３】
そこで、本開示の実施形態は、ピコセルでのＵＥの接続にかかる時間をより短くすることを可能にする。以降、＜＜＜２．無線通信システムの概略的な構成＞＞＞、＜＜＜３．各装置の構成＞＞＞、＜＜＜４．処理の流れ＞＞＞及び＜＜＜５．変形例＞＞＞において、具体的な内容を説明する。
【００５４】
＜＜＜２．無線通信システムの概略的な構成＞＞＞
図５を参照して、本開示の実施形態に係る無線通信システムの概略的な構成を説明する。図５は、本実施形態に係る無線通信システムの概略的な構成の一例を示す説明図である。当該無線通信システムは、例えば、ＬＴＥに準拠する無線通信システムである。図５を参照すると、無線通信システムは、マクロセル１０のマクロｅＮｏｄｅＢ１００、ピコセル２０のピコｅＮｏｄｅＢ２００、及びＵＥ３００を含む。
【００５５】
マクロｅＮｏｄｅＢ１００は、マクロセル１０内でＵＥ３００と無線通信する。一例として、マクロセル１０内では、２ＭＨｚ帯の周波数帯域が、マクロｅＮｏｄｅＢ１００とＵＥ３００との間の無線通信のために使用される。
【００５６】
ピコｅＮｏｄｅＢ２００は、ピコセル２０内でＵＥ３００と無線通信する。ピコセル２０は、マクロセル１０と一部又は全体で重複する。例えば、ピコセル２０内では、マクロセル１０で使用される周波数帯域とは別の周波数帯域が使用される。具体的には、例えば、ピコセル２０内で使用される周波数帯域は、マクロセル１０内で使用される周波数帯域よりも、より高い周波数帯域である。一例として、ピコセル２０内では、５ＭＨｚ帯の周波数帯域が、ピコｅＮｏｄｅＢ２００とＵＥ３００との間の無線通信に使用される。
【００５７】
ＵＥ３００は、マクロセル１０内でマクロｅＮｏｄｅＢ１００と無線通信する。また、ＵＥ３００は、ピコセル２０内でピコｅＮｏｄｅＢ２００と無線通信する。
【００５８】
＜＜＜３．各装置の構成＞＞＞
続いて、図６〜図１０を参照して、マクロｅＮｏｄｅＢ１００、ピコｅＮｏｄｅＢ２００及びＵＥ３００の各々の構成の一例を説明する。
【００５９】
＜＜３．１．マクロｅＮｏｄｅＢの構成＞＞
まず、図６〜図８を参照して、マクロｅＮｏｄｅＢ１００の構成の一例を説明する。図６は、本実施形態に係るマクロｅＮｏｄｅＢ１００の構成の一例を示すブロック図である。図６を参照すると、マクロｅＮｏｄｅＢ１００は、アンテナ部１１０、無線通信部１２０、ネットワーク通信部１３０、記憶部１４０及び制御部１５０を備える。
【００６０】
（アンテナ部１１０）
アンテナ部１１０は、無線信号を受信し、受信された無線信号を無線通信部１２０へ出力する。また、アンテナ部１１０は、無線通信部１２０により出力された送信信号を送信する。
【００６１】
（無線通信部１２０）
無線通信部１２０は、マクロセル１０内に位置するＵＥ３００と無線通信する。一例として、無線通信部１２０は、２ＭＨｚ帯の周波数帯域を使用して、ＵＥ３００と無線通信する。無線通信部１２０は、例えば、ＲＦ（Radio  Frequency）回路及びその他の回路を含む。
【００６２】
（ネットワーク通信部１３０）
ネットワーク通信部１３０は、他の装置と通信する。例えば、ネットワーク通信部１３０は、ピコｅＮｏｄｅＢ２００と通信する。ネットワーク通信部１３０は、例えば、いずれかの有線通信のための通信インターフェースを含む。
【００６３】
（記憶部１４０）
記憶部１４０は、マクロｅＮｏｄｅＢ１００の動作のためのプログラム及びデータを記憶する。記憶部１４０は、例えばハードディスク又は半導体メモリ等の記憶媒体を含む。
【００６４】
（制御部１５０）
制御部１５０は、マクロｅＮｏｄｅＢ１００の様々な機能を提供する。例えば、制御部１５０は、ＣＰＵ又はＤＳＰ等のプロセッサに相当し、記憶部１４０又は他の記憶媒体に記憶されるプログラムを実行することにより、上記様々な機能を提供する。制御部１５０は、情報取得部１５１及び通信制御部１５３を含む。
【００６５】
（情報取得部１５１）
情報取得部１５１は、ピコセル２０で使用される周波数帯域のシステム情報（以下、「ピコシステム情報」と呼ぶ）を取得する。例えば、ネットワーク通信部１３０が、ピコｅＮｏｄｅＢ２００により送信されたピコシステム情報を受信すると、情報取得部１５１は、当該ピコシステム情報を取得する。
【００６６】
（通信制御部１５３）
通信制御部１５３は、マクロセル１０内での無線通信を制御する。
【００６７】
−ピコセル側のシステム情報の送信
とりわけ本実施形態では、通信制御部１５３は、マクロセル１０での上記ピコシステム情報のダウンリンク送信を制御する。例えば、無線通信部１５３は、無線通信部１２０に、マクロセル１０での上記ピコシステム情報のダウンリンク送信を行わせる。即ち、無線通信部１５３は、無線通信部１２０に、マクロセル１０で上記ピコシステム情報を送信させる。
【００６８】
上記ピコシステム情報の上記ダウンリンク送信に使用される無線リソース（以下、「ピコシステム情報用リソース」と呼ぶ）は、マクロセル１０で使用される周波数帯域のリソースである。そして、当該ピコシステム情報用リソースは、マクロセル１０で使用される上記周波数帯域のシステム情報（以下、「マクロシステム情報」と呼ぶ）の送信には使用されないリソースである。即ち、通信制御部１５３は、無線通信部１２０に、マクロシステム情報の送信に使用する無線リソースとは別の無線リソースを使用してピコシステム情報を送信させる。
【００６９】
また、マクロセル１０には、例えば、複数のピコセル２０が存在する。この場合に、上記ピコシステム情報用リソースは、別のピコセル２０で使用される周波数帯域のシステム情報（即ち、別のピコセル２０のピコシステム情報）の送信にも使用されない。即ち、通信制御部１５３は、無線通信部１２０に、ピコセル２０ごとのピコシステム情報を別々の無線リソースを使用して送信させる。
【００７０】
また、一例として、上記ピコシステム情報用リソースは、物理ダウンリンク共有チャネル（Physical  Downlink  Shared  CHannel：ＰＤＳＣＨ）のリソースである。
【００７１】
なお、通信制御部１５３は、例えば、マクロセル１０での上記マクロシステム情報のダウンリンク送信も制御する。例えば、通信制御部１５３は、マクロシステム情報を生成する。そして、通信制御部１５３は、無線通信部１２０に、マクロセル１０で上記マクロシステム情報を送信させる。
【００７２】
−ピコセル側のシステム情報の送信に使用される無線リソースの通知
また、本実施形態では、通信制御部１５３は、マクロセル１０内に位置するＵＥ３００に、上記ピコシステム情報用リソースを通知する。より具体的には、例えば、通信制御部１５３は、無線通信部１２０に、マクロセル１０内に位置するＵＥ３００に、ピコシステム情報用リソースを特定するための情報を送信させる。当該情報は、例えば、ピコシステム情報用リソースの周波数方向及び時間方向の位置を示す情報（以下、ＬＰＳＩ（Location  of  Pico  System  Information）と呼ぶ）である。ＬＰＳＩは、例えば、周期、サブフレーム番号、リソースブロックの周波数方向及び時間方向における位置等を含む。
【００７３】
また、例えば、通信制御部１５３は、ピコシステム情報用リソースとともに、ピコセル２０を識別するためのピコセルＩＤも通知する。具体的には、例えば、通信制御部１５３は、無線通信部１２０に、ピコセルＩＤ及びＬＰＳＩの組合せを送信させる。以下、この点について図７及び図８を参照して具体例を説明する。
【００７４】
図７は、ピコセル側のシステム情報の送信に使用される無線リソースの通知のために送信される情報の一例を説明するための説明図である。図７を参照すると、ピコセルＩＤ及びＬＰＳＩの３つの組合せが示されている。例えば、マクロセル１０に３つのピコセル２０が存在する場合には、当該３つのピコセル２０の各々についてのピコセルＩＤ及びＬＰＳＩが送信される。
【００７５】
図８は、ＬＰＳＩと無線リソースとの対応関係の一例を説明するための説明図である。図８を参照すると、図７で示されたピコセルＩＤ及びＬＰＳＩの組合せと、ＬＰＳＩが示す無線リソースとの対応関係が示されている。ＬＰＳＩが示す無線リソースでは、ＭＩＢ及びＳＩＢを含むシステム情報が送信される。このような各ピコセル２０についてのＬＰＳＩにより、ＵＥ３００は、各ピコセルのピコシステム情報がどこにあるかを特定することができる。
【００７６】
また、例えば、上記ピコシステム情報用リソースは、マクロセル１０において接続状態にあるＵＥ３００へのシグナリングにより通知される。より具体的には、例えば、通信制御部１５３は、無線通信部１２０に、マクロセル１０においてＲＲＣ接続モードになっているＵＥ３００へのＲＲＣシグナリングにより、上記ピコセルＩＤ及びＬＰＳＩの組合せを送信させる。通信制御部１５３は、無線通信部１２０に、上記ピコセルＩＤ及びＬＰＳＩの組合せの各々を別々に送信させてもよく、又は、当該組合せのうちの２つ以上をまとめて送信させてもよい。
【００７７】
＜＜３．２．ピコｅＮｏｄｅＢの構成＞＞
次に、図９を参照して、ピコｅＮｏｄｅＢ２００の構成の一例を説明する。図９は、本実施形態に係るピコｅＮｏｄｅＢ２００の構成の一例を示すブロック図である。図９を参照すると、ピコｅＮｏｄｅＢ２００は、アンテナ部２１０、無線通信部２２０、ネットワーク通信部２３０、記憶部２４０及び制御部２５０を備える。
【００７８】
（アンテナ部２１０）
アンテナ部２１０は、無線信号を受信し、受信された無線信号を無線通信部２２０へ出力する。また、アンテナ部２１０は、無線通信部２２０により出力された送信信号を送信する。
【００７９】
（無線通信部２２０）
無線通信部２２０は、ピコセル２０内に位置するＵＥ３００と無線通信する。一例として、無線通信部２２０は、５ＭＨｚ帯の周波数帯域を使用して、ＵＥ３００と無線通信する。無線通信部１２０は、例えば、ＲＦ回路及びその他の回路を含む。
【００８０】
（ネットワーク通信部２３０）
ネットワーク通信部２３０は、他の装置と通信する。例えば、ネットワーク通信部２３０は、マクロｅＮｏｄｅＢ１００と通信する。ネットワーク通信部２３０は、例えば、いずれかの有線通信のための通信インターフェースを含む。
【００８１】
（記憶部２４０）
記憶部２４０は、ピコｅＮｏｄｅＢ２００の動作のためのプログラム及びデータを記憶する。記憶部２４０は、例えばハードディスク又は半導体メモリ等の記憶媒体を含む。
【００８２】
（制御部２５０）
制御部２５０は、ピコｅＮｏｄｅＢ２００の様々な機能を提供する。例えば、制御部２５０は、ＣＰＵ又はＤＳＰ等のプロセッサに相当し、記憶部２４０又は他の記憶媒体に記憶されるプログラムを実行することにより、上記様々な機能を提供する。制御部２５０は、通信制御部２５１及び情報提供部２５３を含む。
【００８３】
（通信制御部２５１）
通信制御部２５１は、ピコセル２０内での無線通信を制御する。具体的には、例えば、通信制御部２５１は、ピコセル２０で使用される周波数帯域のシステム情報（即ち、ピコシステム情報）を生成する。当該システム情報は、例えば、ＭＩＢ及びＳＩＢを含む。通信制御部２５１は、生成されたピコシステム情報を情報提供部２５３へ出力する。
【００８４】
また、例えば、上記ピコシステム情報は、ピコセル２０では送信されない。即ち、通信制御部２５１は、無線通信部２２０に、ピコセル２０でピコシステム情報を送信させない。
【００８５】
（情報提供部２５３）
情報提供部２５３は、マクロｅＮｏｄｅＢ１００へ上記ピコシステム情報を提供する。具体的には、ピコシステム情報が、通信制御部２５１により出力されると、情報提供部２５３は、当該ピコシステム情報を取得する。そして、情報提供部２５３は、ネットワーク通信部２３０に、当該ピコシステム情報をマクロｅＮｏｄｅＢ１００へ送信させる。
【００８６】
＜＜３．３．ＵＥの構成＞＞
次に、図１０を参照して、ＵＥ３００の構成の一例を説明する。図１０は、本実施形態に係るＵＥ３００の構成の一例を示すブロック図である。図１０を参照すると、ＵＥ３００は、アンテナ部３１０、無線通信部３２０、記憶部３３０及び制御部３４０を備える。
【００８７】
（アンテナ部３１０）
アンテナ部３１０は、無線信号を受信し、受信された無線信号を無線通信部２２０へ出力する。また、アンテナ部３１０は、無線通信部３２０により出力された送信信号を送信する。
【００８８】
（無線通信部３２０）
無線通信部３２０は、マクロセル１０内に位置する場合に、マクロｅＮｏｄｅＢ１００と無線通信する。また、無線通信部３２０は、ピコセル２０内に位置する場合に、ピコｅＮｏｄｅＢ２００と無線通信する。
【００８９】
とりわけ本実施形態では、無線通信部３２０は、ＵＥ３００がマクロセル１０内に位置する場合に、ピコセル２０で使用される周波数帯域のシステム情報（即ち、ピコシステム情報）を受信する。より具体的には、例えば、無線通信部３２０は、ＵＥ３００がマクロセル内に位置する場合に、マクロｅＮｏｄｅＢ１００により送信されるピコシステム情報を受信する。
【００９０】
また、例えば、無線通信部３２０は、ＵＥ３００がマクロセル１０内に位置する場合に、ピコシステム情報用リソースを特定するための情報を受信する。当該情報は、例えばＬＰＳＩである。また、無線通信部３２０は、ＬＰＳＩとともにピコセルＩＤも受信する。
【００９１】
（記憶部３３０）
記憶部３３０は、ＵＥ３００の動作のためのプログラム及びデータを記憶する。記憶部３３０は、例えばハードディスク又は半導体メモリ等の記憶媒体を含む。
【００９２】
（制御部３４０）
制御部３４０は、ＵＥ３００の様々な機能を提供する。例えば、制御部３４０は、ＣＰＵ又はＤＳＰ等のプロセッサに相当し、記憶部３３０又は他の記憶媒体に記憶されるプログラムを実行することにより、上記様々な機能を提供する。
【００９３】
例えば、制御部３４０は、マクロｅＮｏｄｅＢ１００及びピコｅＮｏｄｅＢ２００により送信される制御情報を取得する。より具体的には、例えば、制御部３４０は、無線通信部３２０により制御情報が受信されると、当該制御情報を取得する。一例として、各制御情報が送信される無線リソースの周波数方向及び時間方向における位置が、制御部３４０にとって既知である。そして、制御部３４０は、既知である位置の無線リソースを使用して送信される情報を、制御情報として取得する。
【００９４】
とりわけ本実施形態では、制御部３４０は、ＵＥ３００がマクロセル１０内に位置する場合に、ピコシステム情報のダウンリンク送信に使用される無線リソースを通知されると、当該無線リソースを使用して送信される情報を上記ピコシステム情報として取得する。
【００９５】
より具体的には、例えば、ＵＥ３００がマクロセル１０内に位置する場合に、無線通信部３２０がピコセルＩＤ及びＬＰＳＩを受信すると、制御部３４０は、当該ピコセルＩＤ及び当該ＬＰＳＩ及びを取得する。これにより、制御部３４０は、どのピコセル２０のピコシステム情報がどの無線リソースを使用して送信されるかを知ることができる。そして、当該無線リソースを使用して送信される情報が、無線通信部３２０により受信されると、制御部３４０は、当該情報をピコシステム情報として取得する。このように、制御部３４０は、ピコセル２０のピコシステム情報を取得する。
【００９６】
なお、ＵＥ３００は、セルサーチにおいてピコセル２０のＰＳＳ及びＳＳＳからピコセルＩＤを知ることができるので、セルサーチの結果見つけたピコセル２０と、ＬＰＳＩに基づいて取得されるシステム情報とを、ピコセルＩＤを介して対応付けることができる。
【００９７】
＜＜＜４．処理の流れ＞＞＞
続いて、図１１を参照して、本実施形態に係る通信制御処理の一例を説明する。図１１は、本実施形態に係る通信制御処理の概略的な流れの一例を示すシーケンス図である。
【００９８】
ステップＳ４０１で、ＵＥ３００は、マクロｅＮｏｄｅＢ１００についてＲＲＣ接続モードになっている。
【００９９】
ステップＳ４０３で、マクロｅＮｏｄｅＢ１００の通信制御部１５３は、無線通信部１２０に、ピコセルＩＤ及びＬＰＳＩの組合せを送信させる。より具体的には、通信制御部１５３は、無線通信部１２０に、マクロセル１０においてＲＲＣ接続モードになっているＵＥ３００へのＲＲＣシグナリングにより、上記ピコセルＩＤ及びＬＰＳＩの組合せを送信させる。そして、ＵＥ３００の無線通信部３２０は、ピコセルＩＤ及びＬＰＳＩの組合せを受信し、ＵＥ３００の制御部３４０は、当該ピコセルＩＤ及び当該ＬＰＳＩの組合せを取得する。
【０１００】
ステップＳ４０５で、ピコｅＮｏｄｅＢ２００の通信制御部２５１は、ピコセル２０で使用される周波数帯域のシステム情報（即ち、ピコシステム情報）を生成する。その後、ステップＳ４０７で、ピコｅＮｏｄｅＢ２００の情報提供部２５３は、ネットワーク通信部２３０に、当該ピコシステム情報をマクロｅＮｏｄｅＢ１００へ送信させる。そして、マクロｅＮｏｄｅＢ１００のネットワーク通信部１３０が、当該ピコシステム情報を受信し、情報取得部１５１が、当該ピコシステム情報を取得する。
【０１０１】
ステップＳ４０９で、マクロｅＮｏｄｅＢ１００の通信制御部１５３は、無線通信部１２０に、ＬＰＳＩに示される無線リソースを使用してマクロセル１０で上記ピコシステム情報を送信させる。そして、ＵＥ３００の無線通信部３２０は、ＬＰＳＩに示される無線リソースを使用して上記ピコシステム情報を受信する。
【０１０２】
その後、ステップＳ４１１で、ＵＥ３００の制御部３４０は、ＬＰＳＩに示される無線リソースを使用して送受信された情報を、上記ピコシステム情報として取得する。
【０１０３】
以上、本実施形態の各装置の構成及び処理の流れを説明した。上述したように、マクロセル１０における無線リソースをＵＥ３００に通知し、当該無線リソースを使用してマクロセル１０でピコシステム情報を送信することにより、ＵＥ３００がマクロセル１０でピコシステム情報を取得することが可能になる。即ち、ピコシステム情報を取得できる領域は、ピコセル２０に限られず、マクロセル１０まで広がる。よって、ＵＥ３００は、ピコセル２０に近づく前に、当該ピコセル２０のピコシステム情報を取得する。その結果、ピコセルでのＵＥ３００の接続にかかる時間が短くなる。例えば、ＵＥ３００は、セルサーチにおいて、事前に取得したピコシステム情報に対応する限定されたピコセル２０の中から、ＰＳＳ及びＳＳＳに基づいてピコセル２０を特定することになる。そのため、セルの特定に要する時間が短くなる。また、例えば、ＵＥ３００は、セルサーチ後にシステム情報を改めて受信する必要がない。そのため、ピコセル２０での接続に要する時間がより短くなる。
【０１０４】
なお、例えば、マクロセル１０及びピコセル２０における制御チャネルであるＰＤＣＣＨは、従来どおり、マクロセル１０及びピコセル２０の両方において存在する。ＰＤＣＣＨでは、主に、リソース割当て情報（即ち、スケジューリング情報）が送信される。当該スケジューリング情報は、ダウンリンク割当て（Downlink  Assignment）及びアップリンク許可（Uplink  Grant）を含む。ダウンリンク割当ては、ダウンリンクのリソースブロック（ＲＢ）のうちのどのＲＢが、ＵＥが受信すべきＲＢであるかを示す。一方、アップリンク許可は、アップリンクのＲＢのうちのどのＲＢが、ＵＥが送信に使用すべきＲＢであるかを示す。これらのスケジューリング情報は、各ｅＮｏｄｅＢ（即ち、各マクロｅＮｏｄｅＢ１００及び各ピコｅＮｏｄｅＢ２００）で決定される方が、無線通信システムの実装が容易だからである。ピコｅＮｏｄｅＢ２００がＲＲＨ（Remote  Radio  Head）として実装される場合には、マクロｅＮｏｄｅＢ側のＰＤＣＣＨで、ピコｅＮｏｄｅＢ側のスケジューリング情報を送信することも可能かもしれない。しかしながら、ピコｅＮｏｄｅＢ２００がＲＲＨとして実装されない場合には、各セル（即ち、各マクロセル及び各ピコセル）においてＰＤＣＣＨが存在するのが自然であると考えられる。
【０１０５】
また、ピコセルでの同期を保つために、ＰＳＳ及びＳＳＳの同期信号もピコｅＮｏｄｅＢ２００により送信されるのが自然であると考えられる。
【０１０６】
一方、ピコセル２０についてのシステム情報、システム情報更新及びページングチャネル等については、ピコセル２０の領域が小さいことを考慮すると、ピコセル２０ではなく、マクロセル１０で送信されることが自然であると考えられる。また、ＵＥへのシグナリングもマクロｅＮｏｄｅＢ１００を経由して行われることが望ましいと考えられる。なぜならば、ピコｅＮｏｄｅＢ２００は、ユーザデータの送受信に注力すべきだからである。
【０１０７】
＜＜＜５．変形例＞＞＞
続いて、図１２〜図１９を参照して、本実施形態に係る第１の変形例及び第２の変形例を説明する。
【０１０８】
＜＜５．１．第１の変形例＞＞
まず、図１２〜図１６を参照して、本実施形態に係る第１の変形例を説明する。
【０１０９】
＜５．１．１．概略＞
上述した本実施形態の例では、ピコシステム情報の送信に使用される無線リソース（即ち、ピコシステム情報用リソース）は、マクロセル１０において接続状態にあるＵＥ３００へのシグナリング（例えば、ＲＲＣシグナリング）により通知される。この場合に、マクロセル１０において接続状態にないＵＥ３００（即ち、アイドル状態にあるＵＥ３００）は、シグナリングによる通知を受けないので、結果として、ピコシステム情報を取得することができない。そのため、例えば、ＵＥ３００が特定のピコセル２０で無線通信したいという意図をもってからマクロセル１０において接続状態になるようなケースには、上述した例は対応できない。
【０１１０】
そこで、本実施形態の第１の変形例では、ピコシステム情報用リソースは、マクロシステム情報に含まれる所定の情報ブロックの送信に使用される別の無線リソースと所定の位置関係を有する通知用の無線リソースを使用して通知される。具体的には、例えば、ＬＰＳＩは、マクロシステム情報に含まれる所定の情報ブロックの送信に使用される別の無線リソースと所定の位置関係を有する通知用の無線リソースを使用して送信される。
【０１１１】
マクロセル１０において接続状態になっていないＵＥ３００であっても、マクロセル１０のシステム情報を取得することができる。よって、第１の変形例によれば、マクロセル１０で接続状態になっていないＵＥ３００が、上記所定の情報ブロックの取得の際に、当該情報ブロックの送信用の無線リソースと所定の位置関係を有する無線リソースで送信される情報を、上記ピコシステム情報用リソースを示す情報（即ち、ＬＰＳＩ）として取得できる。そして、ＵＥ３００は、当該情報に示されるピコシステム情報用リソースで送信された情報を、ピコシステム情報として取得できる。即ち、ＵＥ３００は、マクロセル１０で接続状態になっていなかったとしても、ピコシステム情報を取得することができる。
【０１１２】
＜５．１．２．各装置の構成＞
次に、図１２〜１５を参照して、本実施形態の第１の変形例に係る各装置の構成を説明する。ここでは、図６、図９及び図１０を参照して既に説明した内容からの変更点のみを説明する。
【０１１３】
（マクロｅＮｏｄｅＢ１００）
−通信制御部１５３
上述したように、ピコシステム情報用リソースは、マクロシステム情報に含まれる所定の情報ブロックの送信に使用される別の無線リソースと所定の位置関係を有する通知用の無線リソースを使用して通知される。具体的には、例えば、通信制御部１５３は、無線通信部１２０に、マクロシステム情報に含まれる所定の情報ブロックの送信に使用される別の無線リソースと所定の位置関係を有する通知用の無線リソースを使用して、ピコセルＩＤ及びＬＰＳＩを送信させる。
【０１１４】
例えば、マクロシステム情報に含まれる上記所定の情報ブロックの送信に使用される上記別の無線リソースは、時間方向及び周波数方向の所定の範囲内に位置するリソースである。一例として、上記所定の情報ブロックは、システム情報ブロック（ＳＩＢ）のうちのＳＩＢ１である。そして、上記別の無線リソースは、ＳＩＢ１の送信に使用されるリソースである。即ち、通信制御部１５３は、無線通信部１２０に、ＳＩＢ１の送信に使用される無線リソースと所定の位置関係を有する無線リソースを使用して、ピコセルＩＤ及びＬＰＳＩを送信させる。以下、ＳＩＢ１の送信に使用される無線リソースの位置を、図１２を参照して説明する。
【０１１５】
図１２は、ＳＩＢ１の送信に使用される無線リソースの位置の例を説明するための説明図である。図１２を参照すると、２つの連続する無線フレーム、即ち、ＳＦＮが偶数である無線フレームと、ＳＦＮが奇数である無線フレームとが示されている。そして、ＳＩＢ１は、ＳＦＮが偶数である無線フレームの＃５のサブフレームで送信される。さらに具体的には、ＳＩＢ１は、＃５のサブフレームにおいてＰＤＳＣＨで送信される。さらに具体的には、ＳＩＢ１の位置は、＃５のサブフレームにおいて時間方向で固定であるが、周波数方向では可変である。ＳＩＢ１の周波数方向の位置は、ＭＩＢ１で通知される。本実施形態の第１の変形例では、ＳＩＢ１の送信に使用される準固定的な無線リソースと所定の位置関係を有する無線リソースで、ＬＰＳＩが送信される。
【０１１６】
また、上記所定の位置関係は、上記別の無線リソースと時間方向又は周波数方向において所定のオフセットを有する位置関係である。一例として、上記所定の位置関係は、ＳＩＢ１の送信に使用される無線リソースと時間方向又は周波数方向において所定のオフセットを有する位置関係である。即ち、通信制御部１５３は、無線通信部１２０に、ＳＩＢ１の送信に使用される無線リソースと時間方向又は周波数方向において所定のオフセットを有する無線リソースを使用して、ピコセルＩＤ及びＬＰＳＩを送信させる。以下、所定のオフセットを有する無線リソースの具体例を、図１３〜図１５を参照して具体的に説明する。
【０１１７】
図１３は、本実施形態の第１の変形例に従ってＬＰＳＩの送信に使用される無線リソースの第１の例を説明するための説明図である。図１３を参照すると、ＳＦＮが偶数である無線フレームの＃５のサブフレームにおけるマクロセル１０の無線リソースが示されている。図１３に示されるように、例えば、ＬＰＳＩの送信に使用される無線リソースは、ＳＩＢ１の送信に使用される無線リソースと周波数方向において所定のオフセットを有する。
【０１１８】
図１４は、本実施形態の第１の変形例に従ってＬＰＳＩの送信に使用される無線リソースの第２の例を説明するための説明図である。図１４を参照すると、ＳＦＮが偶数である無線フレームの＃５のサブフレームにおけるマクロセル１０の無線リソースが示されている。図１４に示されるように、例えば、ＬＰＳＩの送信に使用される無線リソースは、ＳＩＢ１の送信に使用される無線リソースと時間方向において所定のオフセットを有する。より具体的には、ＬＰＳＩの送信に使用される無線リソースは、＃５のサブフレームで送信されるが、ＳＩＢ１の送信に使用される無線リソースとは異なるＯＦＤＭシンボルで送信される。
【０１１９】
図１５は、本実施形態の第１の変形例に従ってＬＰＳＩの送信に使用される無線リソースの第３の例を説明するための説明図である。図１５を参照すると、２つの連続する無線フレーム、即ち、ＳＦＮが偶数である無線フレームと、ＳＦＮが奇数である無線フレームとが示されている。そして、ＳＩＢ１は、ＳＦＮが偶数である無線フレームの＃５のサブフレームで送信される。一方、ＬＰＳＩは、ＳＦＮが奇数である無線フレームの＃５のサブフレームで送信される。ＬＰＳＩの送信に使用される無線リソースは、ＳＩＢ１の送信に使用される無線リソースと時間方向において１無線フレーム分のオフセットを有する。
【０１２０】
なお、このように、ＬＰＳＩの送信に使用される無線リソースは、ＳＩＢ１の送信に使用される無線リソースと周波数方向又は時間方向において所定のオフセットを有する。なお、上記所定のオフセットは、上述した例に限られず、様々なオフセットが適用され得る。また、上記所定のオフセットは、周波数方向及び時間方向のうちの一方のオフセットに限られず、周波数方向及び時間方向の両方の所定のフセットが適用され得る。
【０１２１】
なお、例えば、ピコセルＩＤも、ＬＳＰＩとともに、上記所定のオフセットを有する無線リソースを使用して送信される。
【０１２２】
（ＵＥ３００）
−制御部３４０
制御部３４０は、ＵＥ３００がマクロセル１０内に位置する場合に、ピコシステム情報のダウンリンク送信に使用される無線リソース（即ち、ピコシステム情報用リソース）を通知されると、当該無線リソースを使用して送信される情報を上記ピコシステム情報として取得する。とりわけ本実施形態の第１の変形例では、上述したように、ピコシステム情報用リソースは、マクロシステム情報に含まれる所定の情報ブロックの送信に使用される別の無線リソースと所定の位置関係を有する通知用の無線リソースを使用して通知される。即ち、制御部３４０は、上記通知用の無線リソースを使用してピコシステム情報用リソースを通知される。具体的には、例えば、ＳＩＢ１の送信に使用される無線リソースと所定の位置関係を有する無線リソースを使用して送信されるピコセルＩＤ及びＬＳＰＩが、無線通信部３２０により受信される。そして、制御部３４０は、上記所定の位置関係を有する無線リソースを使用して送信される情報を、ピコセルＩＤ及びＬＳＰＩとして取得する。なお、上記所定の位置関係の具体的な内容は、上述したとおりである。
【０１２３】
＜５．１．３．処理の流れ＞
次に、図１６を参照して、本実施形態の第１の変形例に係る通信制御処理の一例を説明する。図１６は、本実施形態の第１の変形例に係る通信制御処理の概略的な流れの一例を示すシーケンス図である。
【０１２４】
ステップＳ５０１で、マクロｅＮｏｄｅＢ１００の通信制御部１５３は、マクロシステム情報を生成する。
【０１２５】
そして、ステップＳ５０３で、マクロｅＮｏｄｅＢ１００の通信制御部１５３は、無線通信部１２０に、マクロセル１０でマクロシステム情報を送信させる。また、通信制御部１５３は、無線通信部１２０に、マクロシステム情報のうちのＳＩＢ１の送信に使用される無線リソースと所定のオフセットを有する無線リソースを使用して、ピコセルＩＤ及びＬＰＳＩを送信させる。一方、ＵＥ３００の無線通信部３２０は、マクロシステム情報を受信し、また、上記所定のオフセットを有する無線リソースを使用してピコセルＩＤ及びＬＰＳＩを受信する。
【０１２６】
ステップＳ５０５で、ＵＥ３００の制御部３４０は、マクロシステム情報を取得する。また、ステップＳ５０７で、制御部３４０は、ピコセルＩＤ及びＬＰＳＩを取得する。具体的には、例えば、制御部３４０は、ＳＩＢ１の送信に使用される無線リソースと所定のオフセットを有する無線リソースを使用して送信される情報を、ピコセルＩＤ及びＬＰＳＩとして取得する。
【０１２７】
ステップＳ５０９で、ピコｅＮｏｄｅＢ２００の通信制御部２５１は、ピコシステム情報を生成する。その後、ステップＳ５１１で、ピコｅＮｏｄｅＢ２００の情報提供部２５３は、ネットワーク通信部２３０に、当該ピコシステム情報をマクロｅＮｏｄｅＢ１００へ送信させる。そして、マクロｅＮｏｄｅＢ１００のネットワーク通信部１３０が、当該ピコシステム情報を受信し、情報取得部１５１が、当該ピコシステム情報を取得する。
【０１２８】
ステップＳ５１３で、マクロｅＮｏｄｅＢ１００の通信制御部１５３は、無線通信部１２０に、ＬＰＳＩに示される無線リソースを使用してマクロセル１０で上記ピコシステム情報を送信させる。そして、ＵＥ３００の無線通信部３２０は、ＬＰＳＩに示される無線リソースを使用して上記ピコシステム情報を受信する。
【０１２９】
その後、ステップＳ５１５で、ＵＥ３００の制御部３４０は、ＬＰＳＩに示される無線リソースを使用して送受信された情報を、上記ピコシステム情報として取得する。
【０１３０】
＜＜５．２．第２の変形例＞＞
続いて、図１７〜図１９を参照して、本実施形態に係る第２の変形例を説明する。
【０１３１】
＜５．２．１．概略＞
上述したように、本実施形態及び本実施形態の第１の変形例では、ピコシステム情報がマクロｅＮｏｄｅＢ１００により送信される。そのため、基本的には、システム情報の更新も、マクロｅＮｏｄｅＢ１００により送信される。この場合に、システム情報更新の通知として、マクロシステム情報及びピコシステム情報の両方の更新を通知すると、システム情報更新の頻度が非常に高くなる。例えば、マクロセル１０内に２０個のピコセル２０があるとすると、システム情報の更新が頻繁に行われることになる。そして、システム情報の更新の度に、ＵＥ３００側の処理が発生する。その結果、ＵＥ３００の消費電力が大きくなってしまう。
【０１３２】
そこで、本実施形態の第２の変形例では、ピコセル２０で使用される周波数帯域のシステム情報（即ち、ピコシステム情報）の更新は、マクロセル１０で使用される上記周波数帯域のシステム情報（即ち、マクロシステム情報）の更新とは独立して通知される。例えば、ピコシステム情報の更新は、ピコシステム情報用リソースとともに通知される。より具体的には、例えば、ピコシステム情報の更新を示す情報が、ＬＰＳＩとともに送信される。
【０１３３】
仮に、マクロシステム情報及びピコシステム情報の更新がまとめて通知される場合には、マクロシステム情報及びピコシステム情報の一方が更新されれば、システム情報の更新として通知される。よって、マクロセル１０のみで無線通信するＵＥ３００は、ピコシステム情報のみが更新された場合であっても、システム情報の更新を確認することになる。その結果、ＵＥ３００の負荷が大きくなる。よって、上述したようにマクロシステム情報の更新とピコシステム情報の更新とが別々に通知されることで、マクロセル１０のみで無線通信するＵＥ３００は、マクロシステム情報が更新された場合にのみシステム情報の更新を確認することが可能になる。その結果、マクロセル１０のみで無線通信するＵＥ３００がシステム情報の更新を確認する頻度を抑えることができる。
【０１３４】
＜５．２．２．各装置の構成＞
次に、図１７及び図１８を参照して、本実施形態の第２の変形例に係る各装置の構成を説明する。ここでは、本実施形態の第１の変形例からの変更点のみを説明する。
【０１３５】
（マクロｅＮｏｄｅＢ１００）
−通信制御部１５３
通信制御部１５３は、システム情報の更新を通知する。例えば、通信制御部１５３は、マクロシステム情報の更新を通知する。より具体的には、例えば、通信制御部１５３は、ページングチャネルでマクロシステム情報の更新を通知する。また、通信制御部１５３は、マクロシステム情報のうちのＳＩＢ１でマクロシステム情報の更新を通知する。
【０１３６】
とりわけ本実施形態の第２の変形例では、通信制御部１５３は、マクロシステム情報更新とは独立して、ピコシステム情報の更新を通知する。より具体的には、例えば、通信制御部１５３は、ページングチャネル及びＳＩＢ１でピコシステム情報の更新を通知しない。
【０１３７】
また、例えば、ピコセル２０で使用される周波数帯域のシステム情報（即ち、ピコシステム情報）の更新は、別のピコセル２０で使用される周波数帯域のシステム情報（即ち、別のセル２０のピコシステム情報）の更新とも独立して通知される。即ち、通信制御部１５３は、ピコシステム情報の更新をピコセル２０ごとに別々に通知する。
【０１３８】
また、例えば、ピコシステム情報の更新は、上記ピコシステム情報の上記ダウンリンク送信に使用される無線リソース（即ち、ピコシステム情報用リソース）とともに通知される。即ち、通信制御部１５３は、ピコシステム情報の更新をピコシステム情報用リソースとともに通知する。より具体的には、例えば、通信制御部１５３は、無線通信部１２０に、ピコシステム情報が更新されたか否かを示す情報（以下、「ピコシステム情報更新情報」と呼ぶ）を、セルＩＤ及びＬＰＳＩとともに送信する。以下、この点について図１７及び図１８を参照して具体的に説明する。
【０１３９】
図１７は、ピコセル側のシステム情報の更新の通知のために送信される情報の一例を説明するための説明図である。図１７を参照すると、ピコセルＩＤ、ＬＰＳＩ及びピコシステム情報更新情報（UPDATE  INFO）の３つの組合せが示されている。例えば、マクロセル１０に３つのピコセル２０が存在する場合には、当該３つのピコセル２０の各々についてのピコセルＩＤ、ＬＰＳＩ及びピコシステム情報更新情報が送信される。
【０１４０】
図１８は、ピコシステム情報と当該ピコシステム情報の更新を通知するために送信される情報との対応関係の一例を説明するための説明図である。図１８を参照すると、図１７で示されたピコセルＩＤ、ＬＰＳＩ、及びピコシステム情報更新情報の組合せと、ＬＰＳＩが示す無線リソースとの対応関係が示されている。ＬＰＳＩが示す無線リソースでは、ＭＩＢ及びＳＩＢを含むシステム情報が送信される。このようなピコセル２０ごとのピコシステム情報更新情報により、ＵＥ３００は、ピコセル２０ごとのピコシステム情報が更新されたか否かを個別に知ることが可能になる。
【０１４１】
なお、本実施形態の第１の変形例として説明したように、例えば、ピコシステム情報用リソースは、マクロシステム情報に含まれる所定の情報ブロックの送信に使用される別の無線リソースと所定の位置関係を有する通知用の無線リソースを使用して通知される。よって、ピコシステム情報の更新も、上記所定の情報ブロックの送信に使用される別の無線リソースと所定の位置関係を有する通知用の無線リソースを使用して通知される。具体的には、例えば、通信制御部１５３は、無線通信部１２０に、上記所定の情報ブロックの送信に使用される別の無線リソースと所定の位置関係を有する通知用の無線リソースを使用して、ピコセルＩＤ、ＬＰＳＩ及びピコシステム情報更新情報を送信させる。
【０１４２】
一例として、例えば、上記所定の情報ブロックは、マクロシステム情報のうちのＳＩＢ１である。また、上記所定の位置関係は、上記所定の情報ブロックの送信に使用される上記別の無線リソースと時間方向又は周波数方向において所定のオフセットを有する位置関係である。即ち、通信制御部１５３は、無線通信部１２０に、マクロシステム情報のうちのＳＩＢ１の送信に使用される無線リソースと所定のオフセットを有する無線リソースを使用して、ピコセルＩＤ、ＬＰＳＩ及びピコシステム情報更新情報を送信させる。
【０１４３】
（ＵＥ３００）
−制御部３４０
制御部３４０は、マクロｅＮｏｄｅＢによりシステム情報の更新を通知される。例えば、制御部３４０は、マクロシステム情報の更新を通知される。より具体的には、例えば、制御部３４０は、ページングチャネル、及びマクロシステム情報のうちのＳＩＢ１で、マクロシステム情報の更新を通知される。
【０１４４】
とりわけ本実施形態の第２の変形例では、制御部３４０は、マクロシステム情報更新とは独立して、ピコシステム情報の更新を通知される。より具体的には、例えば、制御部３４０は、ページングチャネル及びＳＩＢ１では、ピコシステム情報の更新を通知されない。また、例えば、制御部３４０は、ピコシステム情報の更新をピコセル２０ごとに別々に通知される。
【０１４５】
また、例えば、制御部３４０は、ピコシステム情報の更新をピコシステム情報用リソースとともに通知される。より具体的には、例えば、ピコシステム情報更新情報が、セルＩＤ及びＬＰＳＩとともに無線通信部３２０により受信されると、制御部３４０は、セルＩＤ及びＬＰＳＩとともにピコシステム情報更新情報を取得する。
【０１４６】
より具体的には、例えば、セルＩＤ、ＬＰＳＩ及びピコシステム情報更新情報は、例えば、ＳＩＢ１の送信に使用される無線リソースと所定の位置関係を有する無線リソースを使用して送信され、無線通信部３２０により受信される。そして、制御部３４０は、上記所定の位置関係を有する無線リソースを使用して送信される情報を、ピコセルＩＤ、ＬＳＰＩ及びピコシステム情報更新情報として取得する。
【０１４７】
＜５．２．３．処理の流れ＞
次に、図１９を参照して、本実施形態の第２の変形例に係る通信制御処理の一例を説明する。図１９は、本実施形態の第２の変形例に係る通信制御処理の概略的な流れの一例を示すシーケンス図である。ここでは、図１６に示される第１の変形例に係る通信制御処理の概略的な流れの一例と、図１９に示される第２の変形例に係る通信制御処理の概略的な流れの一例との差分である、ステップＳ５２１、Ｓ５２３、Ｓ５２５、Ｓ５２７のみを説明する。
【０１４８】
ステップＳ５２１で、マクロｅＮｏｄｅＢ１００の通信制御部１５３は、無線通信部１２０に、マクロセル１０でマクロシステム情報を送信させる。また、通信制御部１５３は、無線通信部１２０に、マクロシステム情報のうちのＳＩＢ１の送信に使用される無線リソースと所定のオフセットを有する無線リソースを使用して、ピコセルＩＤ、ＬＰＳＩ及びピコシステム情報更新情報を送信させる。一方、ＵＥ３００の無線通信部３２０は、マクロシステム情報を受信し、また、上記所定のオフセットを有する無線リソースを使用してピコセルＩＤ、ＬＰＳＩ及びピコシステム情報更新情報を受信する。
【０１４９】
ステップＳ５２３で、ＵＥ３００の制御部３４０は、ピコセルＩＤ、ＬＰＳＩ及びピコシステム情報更新情報を取得する。具体的には、例えば、制御部３４０は、ＳＩＢ１の送信に使用される無線リソースと所定のオフセットを有する無線リソースを使用して送信される情報を、ピコセルＩＤ、ＬＰＳＩ及びピコシステム情報更新情報として取得する。
【０１５０】
ステップＳ５２５で、ＵＥ３００の制御部３４０は、ピコシステム情報更新情報から、ピコシステム情報が更新されたかを確認する。
【０１５１】
ステップＳ５２７で、ＵＥ３００の制御部３４０は、ピコシステム情報が更新された場合には、ピコシステム情報の更新箇所を確認する。
【０１５２】
＜＜＜６．まとめ＞＞＞
ここまで、図１〜図１９を用いて、本開示の実施形態に係る通信装置及び各処理を説明した。本開示に係る実施形態によれば、ピコセル２０で使用される周波数帯域のシステム情報（即ち、ピコシステム情報）が取得され、マクロセル１０での上記ピコシステム情報のダウンリンク送信が制御される。また、マクロセル１０内に位置するＵＥ３００に、ピコシステム情報の上記ダウンリンク送信に使用される無線リソース（即ち、ピコシステム情報用リソース）が通知される。
【０１５３】
このように、マクロセル１０における無線リソースがＵＥ３００に通知され、当該無線リソースを使用してマクロセル１０でピコシステム情報が送信されることで、ＵＥ３００がマクロセル１０でピコシステム情報を取得することが可能になる。即ち、ピコシステム情報を取得できる領域は、ピコセル２０に限られず、マクロセル１０まで広がる。よって、ＵＥ３００は、ピコセル２０に近づく前に、当該ピコセル２０のピコシステム情報を取得する。その結果、ピコセルでのＵＥ３００の接続にかかる時間が短くなる。例えば、ＵＥ３００は、セルサーチにおいて、事前に取得したピコシステム情報に対応する限定されたピコセル２０の中から、ＰＳＳ及びＳＳＳに基づいてピコセル２０を特定することになる。そのため、セルの特定に要する時間が短くなる。また、例えば、ＵＥ３００は、セルサーチ後にシステム情報を改めて受信する必要がない。そのため、ピコセル２０での接続に要する時間がより短くなる。
【０１５４】
また、例えば、上記ピコシステム情報の上記ダウンリンク送信に使用される無線リソース（即ち、ピコシステム情報用リソース）は、マクロセル１０で使用される周波数帯域のリソースである。そして、当該ピコシステム情報用リソースは、マクロセル１０で使用される上記周波数帯域のシステム情報（即ち、マクロシステム情報）の送信には使用されないリソースである。
【０１５５】
マクロシステム情報の送信に使用される無線リソース（特に、ＭＩＢ、ＳＩＢ１の送信に使用される無線リソース）には、他の情報を送信するような余裕ビットがない。よって、当該無線リソースでピコシステム情報も送信する場合には、当該無線リソースが足りなくなる場合もあり得る。もしくは、上記無線リソースを拡大する必要がある。よって、上述したように、マクロシステム情報とピコシステム情報とが別々に送信されることで、マクロシステム情報の送信に使用される無線リソースが足りなくなることもない。また、当該無線リソースを拡大する必要もない。
【０１５６】
また、マクロシステム情報とピコシステム情報とが別々に送信されることで、マクロシステム情報及びピコシステム情報の一方のみを取得したい場合に、当該一方のみを選択的に取得することができる。よって、ＵＥ３００は必要なシステム情報のみを取得すればよいので、ＵＥ３００の負荷を抑えることができる。
【０１５７】
また、仮に、マクロシステム情報の一部としてピコシステム情報が含まれる場合に、マクロシステム情報の更新頻度が高くなる。即ち、いずれかのピコセル２０のピコシステム情報が更新されると、マクロシステム情報が更新されたことになる。その結果、マクロセル１０のみで無線通信するＵＥ３００は、必要以上にシステム情報の更新を確認することになり、このＵＥ３００の負荷が大きくなる。よって、上述したようにマクロシステム情報とピコシステム情報とが別々に送信されることで、マクロシステム情報の更新頻度を抑えることが可能になる。その結果、マクロセル１０のみで無線通信するＵＥ３００がシステム情報の更新を確認する頻度を抑えることが可能になる。
【０１５８】
また、例えば、上記ピコシステム情報用リソースは、別のピコセル２０で使用される周波数帯域のシステム情報（即ち、別のピコセル２０のピコシステム情報）の送信にも使用されない。
【０１５９】
これにより、複数のピコセル２０のピコシステム情報の中から、必要なピコシステム情報を選択的に取得することができる。よって、ＵＥ３００は必要なピコシステム情報のみを取得すればよいので、ＵＥ３００の負荷を抑えることができる。
【０１６０】
また、仮に、複数のピコセル２０のピコシステム情報がまとめて送信される場合には、いずれかのピコセル２０のピコシステム情報が更新されると、ピコシステム情報の更新が通知される。その結果、ＵＥ３００は、自装置に関連するピコセル２０のピコシステム情報が更新されたか否かにかかわらず、いずれかのピコセル２０のピコシステム情報が更新される度に、ピコシステム情報の更新を確認することになる。よって、ＵＥ３００の負荷が大きくなる。したがって、ピコセル２０ごとのピコシステム情報が別々に送信されることで、ＵＥ３００がピコシステム情報の更新を確認する頻度を抑えることができる。
【０１６１】
また、例えば、上記ピコシステム情報用リソースは、物理ダウンリンク共有チャネルのリソースである。
【０１６２】
これにより、ピコシステム情報用リソースは、必要に応じた量だけ確保することができるので、ピコセル２０の数が増えたとしても、マクロセル１０でピコシステム情報を送信することができる。また、物理ダウンリンク共有チャネルでピコシステム情報が送信されれば、ピコシステム情報を取得する必要のないＵＥには何ら影響を与えないので、当該ＵＥに負荷を与えない。
【０１６３】
また、例えば、上記ピコシステム情報用リソースは、マクロセル１０において接続状態にあるＵＥ３００へのシグナリングにより通知される。
【０１６４】
これにより、ＵＥ３００が特別な動作を行うことなく、ピコシステム情報用リソースを特定することができる。
【０１６５】
また、例えば、ピコシステム情報用リソースとともに、ピコセル２０を識別するためのピコセルＩＤも通知する。
【０１６６】
これにより、ＵＥ３００は、通知される各ピコシステム情報用リソースがどのピコセル２０のピコシステム情報に対応するかを知ることができる。よって、ＵＥ３００は、所望のピコセル２０のピコシステム情報を取得しやすくなる。
【０１６７】
また、例えば、ピコセル２０で使用される周波数帯域のピコシステム情報は、当該ピコセルでは送信されない。
【０１６８】
これにより、ピコセル２０において、より多くの無線リソースをユーザデータの送信に利用することができる。
【０１６９】
また、本開示に係る実施形態の第１の変形例によれば、ピコシステム情報用リソースは、マクロシステム情報に含まれる所定の情報ブロックの送信に使用される別の無線リソースと所定の位置関係を有する通知用の無線リソースを使用して通知される。
【０１７０】
マクロセル１０において接続状態になっていないＵＥ３００であっても、マクロセル１０のシステム情報を取得することができる。よって、第１の変形例によれば、マクロセル１０で接続状態になっていないＵＥ３００が、上記所定の情報ブロックの取得の際に、当該情報ブロックの送信用の無線リソースと所定の位置関係を有する無線リソースで送信される情報を、上記ピコシステム情報用リソースを示す情報（即ち、ＬＰＳＩ）として取得できる。そして、ＵＥ３００は、当該情報に示されるピコシステム情報用リソースで送信された情報を、ピコシステム情報として取得できる。即ち、ＵＥ３００は、マクロセル１０で接続状態になっていなかったとしても、ピコシステム情報を取得することができる。
【０１７１】
また、例えば、マクロシステム情報に含まれる上記所定の情報ブロックの送信に使用される上記別の無線リソースは、時間方向及び周波数方向の所定の範囲内に位置するリソースである。
【０１７２】
仮に、上記情報ブロック（例えば、ＳＩＢ１）の送信に使用される無線リソースの位置が大きく変動する場合には、上記所定の位置関係を有する無線リソース（例えば、ＬＰＳＩの送信に使用される無線リソース）は、自由に使用可能な無線リソースとは限らない。例えば、上記所定の位置関係を有する無線リソースが、別の情報ブロック又は他の重要な制御情報の送信に使用される無線リソースとなる可能性もある。よって、上述したように、上記情報ブロックの送信に使用される無線リソースが、準固定的な位置で送信されるリソースであれば、上記所定の位置関係を有する無線リソースが自由に使用可能なリソースになるように、上記所定の位置関係を設定することができる。
【０１７３】
また、例えば、上記所定の位置関係は、上記別の無線リソースと時間方向又は周波数方向において所定のオフセットを有する位置関係である。
【０１７４】
これにより、ＵＥ３００は、上記情報ブロック（例えば、ＳＩＢ１）の送信に使用される無線リソースの位置から、上記所定の位置関係を有する無線リソース（例えば、ＬＰＳＩの送信に使用される無線リソース）の位置を容易に特定することができる。
【０１７５】
また、本開示に係る実施形態の第３の変形例によれば、ピコセル２０で使用される周波数帯域のシステム情報（即ち、ピコシステム情報）の更新は、マクロセル１０で使用される上記周波数帯域のシステム情報（即ち、マクロシステム情報）の更新とは独立して通知される。
【０１７６】
仮に、マクロシステム情報及びピコシステム情報の更新がまとめて通知される場合には、マクロシステム情報及びピコシステム情報の一方が更新されれば、システム情報の更新として通知される。よって、マクロセル１０のみで無線通信するＵＥ３００は、ピコシステム情報のみが更新された場合であっても、システム情報の更新を確認することになる。その結果、ＵＥ３００の負荷が大きくなる。よって、上述したようにマクロシステム情報の更新とピコシステム情報の更新とが別々に通知されることで、マクロセル１０のみで無線通信するＵＥ３００は、マクロシステム情報が更新された場合にのみシステム情報の更新を確認することが可能になる。その結果、マクロセル１０のみで無線通信するＵＥ３００がシステム情報の更新を確認する頻度を抑えることができる。
【０１７７】
また、例えば、ピコセル２０で使用される周波数帯域のシステム情報（即ち、ピコシステム情報）の更新は、別のピコセル２０で使用される周波数帯域のシステム情報（即ち、別のセル２０のピコシステム情報）の更新とも独立して通知される。
【０１７８】
仮に、複数のピコセル２０のピコシステム情報の更新がまとめて通知される場合には、複数のピコセル２０のうちのいずれかのピコセル２０のピコシステム情報が更新されれば、システム情報の更新として通知される。よって、ＵＥ３００は、自装置に関連しないピコセル２０のピコシステム情報が更新された場合であっても、ピコシステム情報の更新を確認することになる。その結果、ＵＥ３００の負荷が大きくなる。よって、ピコセル２０ごとのピコシステム情報の更新が別々に通知されることで、ＵＥ３００は、自装置に関連するピコセル２０のピコシステム情報が更新された場合にのみシステム情報の更新を確認することが可能になる。その結果、ＵＥ３００がシステム情報の更新を確認する頻度を抑えることができる。
【０１７９】
また、例えば、ピコシステム情報の更新は、上記ピコシステム情報の上記ダウンリンク送信に使用される無線リソース（即ち、ピコシステム情報用リソース）とともに通知される。
【０１８０】
これにより、ピコシステム情報リソースと同様に、ピコシステム情報の更新があったか否かを確認することが可能になる。
【０１８１】
以上、添付図面を参照しながら本開示の好適な実施形態を説明したが、本開示は係る例に限定されないことは言うまでもない。当業者であれば、請求の範囲に記載された範疇内において、各種の変更例または修正例に想到し得ることは明らかであり、それらについても当然に本開示の技術的範囲に属するものと了解される。
【０１８２】
例えば、第２の変形例では、第１の変形例と同様に、ＬＰＳＩ及びピコシステム情報更新情報が、ＳＩＢ１の送信のために使用される無線リソースと所定のオフセットを有する無線リソースを使用して送信される例を、説明したが、本開示はこれに限られない。例えば、ＬＰＳＩ及びピコシステム情報更新情報が、ＲＲＣシグナリングにより送信されてもよい。
【０１８３】
また、例えば、マクロセル及びピコセルのそれぞれで１つの周波数帯域が使用される例を説明したが、本開示はこれに限られない。マクロセル及びピコセルの一方又は両方では、複数の周波数帯域が使用されてもよい。一例として、ピコセルでキャリアアグリゲーションが適用されてもよい。そして、ピコセルで使用される各ＣＣのシステム情報は、マクロセルで使用される周波数帯域を使用して送信されてもよい。また、ＣＣごとのピコシステム情報は、ピコセル単位でまとめて送信されてもよい。この場合に、ＬＰＳＩは、ピコシステム情報をピコセル単位でまとめて送信するために使用される無線リソースの位置を示してもよい。または、ＣＣごとのピコシステム情報は、ＣＣ単位で個別に送信されてもよい。この場合に、ＬＰＳＩは、ピコシステム情報をＣＣ単位で個別に送信するために使用される無線リソースの位置を示してもよい。なお、別の例として、マクロセルでキャリアアグリゲーションが適用されてもよい。そして、ピコセルで使用される周波数帯域のシステム情報は、マクロセルで使用されるいずれかのＣＣを使用して送信されてもよい。
【０１８４】
また、例えば、マクロセルで使用されるＣＣが２ＭＨｚ帯の周波数帯域であり、ピコセルで使用される周波数帯域が５ＧＨｚ帯の周波数帯域である例を説明したが、本開示はこれに限られない。例えば、マクロセル及びピコセルの両方で同様の帯域（例えば、２ＧＨｚ帯）の周波数帯域が使用されてもよい。そして、マクロセルで使用される周波数帯域とピコセルで使用される周波数帯域が、別々の周波数帯域であってもよく、又は同一の周波数帯域であってもよい。
【０１８５】
また、マクロｅＮｏｄｅＢとピコｅＮｏｄｅＢとが有線通信を行う例を説明したが、本開示はこれに限られない。有線通信の代わりに、無線通信（例えば、マイクロ波通信）が行われてもよい。
【０１８６】
また、ピコｅＮｏｄｅＢが通常のｅＮｏｄｅＢである例を説明したが、本開示はこれに限られない。ピコｅＮｏｄｅＢは、ＲＲＨとして実装されてもよい。この場合に、例えば、ピコｅＮｏｄｅＢの制御部は、マクロｅＮｏｄｅＢ又は別の通信制御装置に備えられてもよい。
【０１８７】
また、マクロｅＮｏｄｅＢは、１つの装置でなく、複数の装置から構成されてもよい。例えば、マクロｅＮｏｄｅＢは、複数の装置の１つとして、少なくとも制御部を含む通信制御装置を含んでもよい。
【０１８８】
また、ＬＴＥに準拠する無線通信システムの例を説明したが、本開示はこれに限られない。本開示に係る技術は、システム情報の送信を行う別の通信規格の無線通信システムにも適用され得る。同様に、基地局の例としてｅＮｏｄｅＢ、端末装置の例としてＵＥを説明したが、本開示はこれに限られない。本開示に係る技術は、別の通信規格に準拠する基地局及び端末装置にも適用され得る。
【０１８９】
また、マクロセルと一部又は全体で重複するスモールセルがピコセルである例を説明したが、本開示はこれに限られない。例えば、当該スモールセルは、フェムトセル、ナノセル又はマイクロセルであってもよい。
【０１９０】
また、本明細書の通信制御処理における処理ステップは、必ずしもフローチャートに記載された順序に沿って時系列に実行されなくてよい。例えば、通信制御処理における処理ステップは、フローチャートとして記載した順序と異なる順序で実行されても、並列的に実行されてもよい。
【０１９１】
また、通信制御装置及び端末装置に内蔵されるＣＰＵ、ＲＯＭ及びＲＡＭ等のハードウェアに、上記通信制御装置及び上記端末装置の各構成と同等の機能を発揮させるためのコンピュータプログラムも作成可能である。また、当該コンピュータプログラムを記憶させた記憶媒体も提供される。
【０１９２】
なお、以下のような構成も本開示の技術的範囲に属する。
（１）
マクロセルと一部又は全体で重複するスモールセルで使用される周波数帯域のシステム情報を取得する取得部と、
前記マクロセルでの前記システム情報のダウンリンク送信を制御する制御部と、
を備え、
前記制御部は、前記マクロセル内に位置する端末装置に、前記ダウンリンク送信に使用される無線リソースを通知する、
通信制御装置。
（２）
前記無線リソースは、前記マクロセルで使用される周波数帯域のリソースであって、当該周波数帯域のシステム情報の送信には使用されない前記リソースである、前記（１）に記載の通信制御装置。
（３）
前記無線リソースは、別のスモールセルで使用される周波数帯域のシステム情報の送信にも使用されない、前記（２）に記載の通信制御装置。
（４）
前記無線リソースは、物理ダウンリンク共有チャネルのリソースである、前記（２）又は（３）に記載の通信制御装置。
（５）
前記スモールセルで使用される前記周波数帯域の前記システム情報の更新は、前記マクロセルで使用される前記周波数帯域の前記システム情報の更新とは独立して通知される、前記（２）〜（４）のいずれか１項に記載の通信制御装置。
（６）
前記スモールセルで使用される前記周波数帯域の前記システム情報の更新は、別のスモールセルで使用される周波数帯域のシステム情報の更新とも独立して通知される、前記（５）に記載の通信制御装置。
（７）
前記スモールセルで使用される前記周波数帯域の前記システム情報の前記更新は、当該更新に関する情報を前記無線リソースとともに通知される、前記（５）又は（６）に記載の通信制御装置。
（８）
前記無線リソースは、前記マクロセルで使用される前記周波数帯域の前記システム情報に含まれる所定の情報ブロックの送信に使用される別の無線リソースと所定の位置関係を有する通知用の無線リソースを使用して通知される、前記（２）〜（７）のいずれか１項に記載の通信制御装置。
（９）
前記別の無線リソースは、時間方向及び周波数方向の所定の範囲内に位置するリソースである、前記（８）に記載の通信制御装置。
（１０）
前記所定の位置関係は、前記別の無線リソースと時間方向又は周波数方向において所定のオフセットを有する位置関係である、前記（８）又は（９）に記載の通信制御装置。
（１１）
前記無線リソースは、前記マクロセルにおいて接続状態にある端末装置へのシグナリングにより通知される、前記（２）〜（７）のいずれか１項に記載の通信制御装置。
（１２）
前記制御部は、前記無線リソースとともに、前記スモールセルを識別するためのスモールセル識別情報も通知する、前記（２）〜（１１）のいずれか１項に記載の通信制御装置。
（１３）
前記スモールセルで使用される前記周波数帯域の前記システム情報は、前記スモールセルでは送信されない、前記（１）〜（１２）のいずれか１項に記載の通信制御装置。
（１４）
コンピュータを、
マクロセルと一部又は全体で重複するスモールセルで使用される周波数帯域のシステム情報を取得する取得部と、
前記マクロセルでの前記システム情報のダウンリンク送信を制御する制御部と、
として機能させ、
前記制御部は、前記マクロセル内に位置する端末装置に、前記ダウンリンク送信に使用される無線リソースを通知する、
プログラム。
（１５）
マクロセルと一部又は全体で重複するスモールセルで使用される周波数帯域のシステム情報を取得することと、
前記マクロセルでの前記システム情報のダウンリンク送信を制御することと、
前記マクロセル内に位置する端末装置に、前記ダウンリンク送信に使用される無線リソースを通知することと、
を含む通信制御方法。
（１６）
マクロセルと一部又は全体で重複するスモールセルで使用される周波数帯域のシステム情報を生成する生成部と、
前記マクロセルでの前記システム情報のダウンリンク送信を制御する装置であって、当該ダウンリンク送信に使用される無線リソースを前記マクロセル内に位置する端末装置に通知する前記装置へ、前記システム情報を提供する提供部と、
を備える通信制御装置。
（１７）
コンピュータを、
マクロセルと一部又は全体で重複するスモールセルで使用される周波数帯域のシステム情報を生成する生成部と、
前記マクロセルでの前記システム情報のダウンリンク送信を制御する装置であって、当該ダウンリンク送信に使用される無線リソースを前記マクロセル内に位置する端末装置に通知する前記装置へ、前記システム情報を提供する提供部と、
として機能させるためのプログラム。
（１８）
マクロセルと一部又は全体で重複するスモールセルで使用される周波数帯域のシステム情報を生成することと、
前記マクロセルでの前記システム情報のダウンリンク送信を制御する装置であって、当該ダウンリンク送信に使用される無線リソースを前記マクロセル内に位置する端末装置に通知する前記装置へ、前記システム情報を提供することと、
を含む通信制御方法。
（１９）
端末装置であって、
前記端末装置がマクロセル内に位置する場合に、当該マクロセルと一部又は全体で重複するスモールセルで使用される周波数帯域のシステム情報を受信する無線通信部と、
前記端末装置がマクロセル内に位置する場合に、前記システム情報のダウンリンク送信に使用される無線リソースを通知されると、当該無線リソースを使用して送信される情報を前記システム情報として取得する取得部と、
を備える端末装置。
（２０）
端末装置がマクロセル内に位置する場合に、当該マクロセルと一部又は全体で重複するスモールセルで使用される周波数帯域のシステム情報を受信することと、
前記端末装置がマクロセル内に位置する場合に、前記システム情報のダウンリンク送信に使用される無線リソースを通知されると、当該無線リソースを使用して送信される情報を前記システム情報として取得することと、
を含む通信制御方法。
【符号の説明】
【０１９３】
１０      マクロセル
２０      ピコセル
１００    マクロｅＮｏｄｅＢ
１１０    アンテナ部
１２０    無線通信部
１３０    ネットワーク制御部
１４０    記憶部
１５０    制御部
１５１    情報取得部
１５３    通信制御部
２００    ピコｅＮｏｄｅＢ
２１０    アンテナ部
２２０    無線通信部
２３０    ネットワーク制御部
２４０    記憶部
２５０    制御部
２５１    通信制御部
２５３    情報提供部
３００    ピコｅＮｏｄｅＢ
３１０    アンテナ部
３２０    無線通信部
３３０    記憶部
３４０    制御部
【図１】
2014069058.tif 000003
【図２】
2014069058.tif 000004
【図３】
2014069058.tif 000005
【図４】
2014069058.tif 000006
【図５】
2014069058.tif 000007
【図６】
2014069058.tif 000008
【図７】
2014069058.tif 000009
【図８】
2014069058.tif 000010
【図９】
2014069058.tif 000011
【図１０】
2014069058.tif 000012
【図１１】
2014069058.tif 000013
【図１２】
2014069058.tif 000014
【図１３】
2014069058.tif 000015
【図１４】
2014069058.tif 000016
【図１５】
2014069058.tif 000017
【図１６】
2014069058.tif 000018
【図１７】
2014069058.tif 000019
【図１８】
2014069058.tif 000020
【図１９】
2014069058.tif 000021
【手続補正書】
【提出日】平成28年6月23日(2016.6.23)
【手続補正１】
【補正対象書類名】特許請求の範囲
【補正対象項目名】全文
【補正方法】変更
【補正の内容】
【特許請求の範囲】
【請求項１】
マクロセルと一部又は全体で重複するスモールセルで使用される周波数帯域のシステム情報を取得する取得部と、
前記マクロセルでの前記システム情報のダウンリンク送信を制御する制御部と、
を備え、
前記制御部は、前記マクロセル内に位置する端末装置に、前記ダウンリンク送信に使用される無線リソースを通知する、
通信制御装置。
【請求項２】
前記無線リソースは、前記マクロセルで使用される周波数帯域のリソースであって、当該周波数帯域のシステム情報の送信には使用されない前記リソースである、請求項１に記載の通信制御装置。
【請求項３】
前記無線リソースは、別のスモールセルで使用される周波数帯域のシステム情報の送信にも使用されない、請求項２に記載の通信制御装置。
【請求項４】
前記無線リソースは、物理ダウンリンク共有チャネルのリソースである、請求項２又は３に記載の通信制御装置。
【請求項５】
前記スモールセルで使用される前記周波数帯域の前記システム情報の更新は、前記マクロセルで使用される前記周波数帯域の前記システム情報の更新とは独立して通知される、請求項２〜４のいずれか１項に記載の通信制御装置。
【請求項６】
前記スモールセルで使用される前記周波数帯域の前記システム情報の更新は、別のスモールセルで使用される周波数帯域のシステム情報の更新とも独立して通知される、請求項５に記載の通信制御装置。
【請求項７】
前記スモールセルで使用される前記周波数帯域の前記システム情報の前記更新は、当該更新に関する情報を前記無線リソースとともに通知される、請求項５又は６に記載の通信制御装置。
【請求項８】
前記無線リソースは、前記マクロセルで使用される前記周波数帯域の前記システム情報に含まれる所定の情報ブロックの送信に使用される別の無線リソースと所定の位置関係を有する通知用の無線リソースを使用して通知される、請求項２〜７のいずれか１項に記載の通信制御装置。
【請求項９】
前記別の無線リソースは、時間方向及び周波数方向の所定の範囲内に位置するリソースである、請求項８に記載の通信制御装置。
【請求項１０】
前記所定の位置関係は、前記別の無線リソースと時間方向又は周波数方向において所定のオフセットを有する位置関係である、請求項８又は９に記載の通信制御装置。
【請求項１１】
前記無線リソースは、前記マクロセルにおいて接続状態にある端末装置へのシグナリングにより通知される、請求項２〜７のいずれか１項に記載の通信制御装置。
【請求項１２】
前記制御部は、前記無線リソースとともに、前記スモールセルを識別するためのスモールセル識別情報も通知する、請求項２〜１１のいずれか１項に記載の通信制御装置。
【請求項１３】
前記スモールセルで使用される前記周波数帯域の前記システム情報は、前記スモールセルでは送信されない、請求項１〜１２のいずれ１項に記載の通信制御装置。
【請求項１４】
コンピュータを、
マクロセルと一部又は全体で重複するスモールセルで使用される周波数帯域のシステム情報を取得する取得部と、
前記マクロセルでの前記システム情報のダウンリンク送信を制御する制御部と、
として機能させ、
前記制御部は、前記マクロセル内に位置する端末装置に、前記ダウンリンク送信に使用される無線リソースを通知する、
プログラム。
【請求項１５】
マクロセルと一部又は全体で重複するスモールセルで使用される周波数帯域のシステム情報を取得することと、
前記マクロセルでの前記システム情報のダウンリンク送信を制御することと、
前記マクロセル内に位置する端末装置に、前記ダウンリンク送信に使用される無線リソースを通知することと、
を含む通信制御方法。
【請求項１６】
マクロセルと一部又は全体で重複するスモールセルで使用される周波数帯域のシステム情報を生成する生成部と、
前記マクロセルでの前記システム情報のダウンリンク送信を制御する装置であって、当該ダウンリンク送信に使用される無線リソースを前記マクロセル内に位置する端末装置に通知する前記装置へ、前記システム情報を提供する提供部と、
を備える通信制御装置。
【請求項１７】
コンピュータを、
マクロセルと一部又は全体で重複するスモールセルで使用される周波数帯域のシステム情報を生成する生成部と、
前記マクロセルでの前記システム情報のダウンリンク送信を制御する装置であって、当該ダウンリンク送信に使用される無線リソースを前記マクロセル内に位置する端末装置に通知する前記装置へ、前記システム情報を提供する提供部と、
として機能させるためのプログラム。
【請求項１８】
マクロセルと一部又は全体で重複するスモールセルで使用される周波数帯域のシステム情報を生成することと、
前記マクロセルでの前記システム情報のダウンリンク送信を制御する装置であって、当該ダウンリンク送信に使用される無線リソースを前記マクロセル内に位置する端末装置に通知する前記装置へ、前記システム情報を提供することと、
を含む通信制御方法。
【請求項１９】
端末装置であって、
前記端末装置がマクロセル内に位置する場合に、当該マクロセルと一部又は全体で重複するスモールセルで使用される周波数帯域のシステム情報を受信する無線通信部と、
前記端末装置がマクロセル内に位置する場合に、前記システム情報のダウンリンク送信に使用される無線リソースを通知されると、当該無線リソースを使用して送信される情報を前記システム情報として取得する取得部と、
を備える端末装置。
【請求項２０】
端末装置がマクロセル内に位置する場合に、当該マクロセルと一部又は全体で重複するスモールセルで使用される周波数帯域のシステム情報を受信することと、
前記端末装置がマクロセル内に位置する場合に、前記システム情報のダウンリンク送信に使用される無線リソースを通知されると、当該無線リソースを使用して送信される情報を前記システム情報として取得することと、
を含む通信制御方法。
【国際調査報告】
2014069058.tif 000022
2014069058.tif 000023
2014069058.tif 000024
2014069058.tif 000025